(57)【要約】【課題】鎌部材が軽快にがたつきなく作動し、引き込み忘れた鎌部材の鉤部が受け金具に当たった際にも鎌部材が円滑に錠ケースに収納されるようにする。【解決手段】錠ケース１の一側ケース板内面の後部から中央部寄りにガイド用リブ６を突設し、鎌部材１０における長軸部１１の前方寄りに鉤部１２の屈曲方向と反対方向へ前方傾斜する長孔１６を穿設し、長孔１６と長軸部１１を挟む一対のリンク２５の一端部を第一の連結ピン１３を挿通して鎌部材１０とリンク２５を連結させ、長軸部１１の後端寄りに第二の連結ピン１４を横設し且つ第二の連結ピン１４をガイド用リブ６に係合させると共にハブ２０に連結させ、ハブ２０の静止位置を保持する為の位置決め用板バネ３０をハブ２０に圧接状態に設けて構成し、受け金具４１に衝突した鎌部材１０は、長孔１６で衝撃が吸収され、リンク２５が回動でそのまま押されるように錠ケース１内に収納される。【選択図】　　　図３
2004107981.tif 000002
【特許請求の範囲】
【請求項１】
サムターンやドアハンドルと連係するハブを回動することにより、錠ケースからその前方へ鎌部材を出没させて施解錠する鎌錠において、前記錠ケースの一側ケース板内面の後部から中央部寄りにガイド用リブを突設し、前記鎌部材における長軸部の前方寄りに鉤部の屈曲方向と反対方向へ前方傾斜する長孔を穿設し、前記長孔と前記長軸部を挟む一対のリンクの一端部を第一の連結ピンを挿通して前記鎌部材と前記リンクを連結させ、前記長軸部の後端寄りに第二の連結ピンを横設し且つ前記第二の連結ピンを前記ガイド用リブに係合させると共に前記ハブに連結させ、前記ハブの静止位置を保持する為の位置決め用板バネを前記ハブに圧接状態に設けて成ることを特徴とする鎌錠。
【発明の詳細な説明】
【０００１】
【発明の属する技術分野】
本発明は、サムターンやドアハンドルを回すことにより引戸からその前方へ鎌部材を突出させて、枠体や柱に埋設された受け金具に該鎌部材を掛けて施錠するチューブラ型の鎌錠に関する。
【０００２】
【従来技術】
部品点数の少ないシンプルなチューブラ型の鎌錠として、特開２０００−１７０４２１号公報に提案された引戸用の鎌錠が知られている。
【０００３】
この従来の鎌錠は、錠ケースの両側板部内側面に、後部から前方へガイド用長溝を設け、その前部寄りを上方叉は下方へ湾曲状に形成し、寸長の鎌部材の中央部にガイド用ピンを、後端寄りに連結用ピンを各々横設し、両ピンをガイド用長溝に係合させると共に、連結用ピンをハブに連結させて構成したものである。
【０００４】
また、鎌錠のハブの位置を後方にする必要等からバックセットを大きくした場合は、鎌部材自体は上記の物と同じ鎌部材を用い、鎌部材後部の連結用ピンに補助板を可回動に軸支し、その後部寄りに設けた第２の連結用ピンでハブに連結させて構成してある。
【０００５】
何れの場合も、上記従来の鎌錠は、ガイド用ピン、連結用ピンがガイド用長孔に係合していることから、ハブを回動させることにより、鎌部材が前方へ直進移動してフロント板から前方へ突出し、更に鎌部材が前方へ移動することにより、ガイド用ピンがガイド用長溝の湾曲部へ移動することから鎌部材は連結用ピンを支点に回動し、鎌部材先端部の鉤部が受け金具に掛合して施錠状態となるものである。
【０００６】
また、上記従来の鎌錠は、利用者が引戸から鎌部材先端の鉤部を突出した状態で引戸を閉めてしまって鎌部材が受け金具に衝突した場合でも、衝突による押圧力でガイド用ピンが湾曲部からガイド用長溝へ移行することにより鎌部材が錠ケース内に後退し、鉤部や受け金具の損傷が防止できるというものである。
【０００７】
【発明が解決しようとする課題】
しかしながら、上記従来の鎌錠は、ガイド用長溝先端部の湾曲状の部分でガイド用ピンを介して鎌部材を回動するように案内する構造の為に、鎌部材が前後にがたつきやすいうえに、力のかかるガイド用ピンとの摺動により湾曲部とガイド用ピンの摩耗が進み、がたつきが大きくなり易い欠点を有している。
【０００８】
また、上記従来の鎌錠は、鎌部材の引き込み忘れて引戸を閉めて鎌部材が受け金具に衝突した際には、ガイド用ピンがガイド用長溝の湾曲部に強く当ってからガイド用長溝へ後退することから、ガイド用ピンによる衝撃により湾曲部が損傷されやすく、鎌部材の円滑な動きを損なうおそれがあった。
【０００９】
また、バックセットを大きくした場合には、鎌部材に補助板をピンで連結して使用するので、部品数が増えるうえに、作動の際、連結部に隙間ができてがたつき音が発生し易い欠点を有している。
【００１０】
本発明は、上記の問題に鑑みてなされたもので、鎌部材が軽快に作動し、がたつきの少ないものにすると共に、突出した状態の鉤部が受け金具に当たった際にも鎌部材が円滑に錠ケースに収納されるようにすることにある。
【００１１】
【課題を解決するための手段】
上記の問題を解決するために、本発明は、サムターンやドアハンドルと連係するハブを回動することにより、錠ケースからその前方へ鎌部材を出没させて施解錠する鎌錠において、前記錠ケースの一側ケース板内面の後部から中央部寄りにガイド用リブを突設し、前記鎌部材における長軸部の前方寄りに鉤部の屈曲方向と反対方向へ前方傾斜する長孔を穿設し、前記長孔と前記長軸部を挟む一対のリンクの一端部を第一の連結ピンを挿通して前記鎌部材と前記リンクを連結させ、前記長軸部の後端寄りに第二の連結ピン横設し且つ前記第二の連結ピンを前記ガイド用リブに係合させると共に前記ハブに連結させ、前記ハブの静止位置を保持する為の位置決め用板バネを前記ハブに圧接状態に設けて成ることを特徴としている。
【００１２】
ハブの位置決め用板バネの押圧力に抗して該ハブを所定量回動すると、錠ケースに収納状態にある鎌部材が、ガイド用リブに案内される第二の連結ピンの移動に伴って前方へ直進移動することから、鎌部材の鉤部が錠ケースからその前方へ突出し、更にハブの回動が進むと、鎌部材は第二の連結ピンを支点にしてリンクに案内されて上方へ回動し施錠状態に位置する。鎌部材の移動時において、第一、第二の連結ピンの先端が錠ケースの内側面と摺接すると共に、鎌部材が軸回転するリンクの回動によって案内される。
【００１３】
また、鎌部材の錠ケース内への引き込みを忘れたたまま引戸を閉めて鎌部材の鉤部が受け金具に衝突したときは、鎌部材への衝撃は長孔でいったん吸収され、リンクが回動して鎌部材はそのまま押されるように錠ケース内に収納される。
【００１４】
【発明の実施の形態】
以下、本発明の好適な実施の形態を添付図面を参照しながら詳細に説明する。
【００１５】
図１乃至図６は、本発明の鎌錠の実施の形態を示すもので、前方に開口部２のある錠ケース１と、該錠ケース１に収納され上方へ鉤部１２を屈曲させた鎌部材１０と、該鎌部材１０を作動させるハブ２０と、作動する該鎌部材１０を案内し回動させる一対のリンク２５と、該ハブ２０の静止位置を保持する位置決め用板バネ３０とを有して構成されている。
【００１６】
錠ケース１は、その前板３を一体に形成した一側ケース板４と、もう片側のケース板５とを合わせかしめて固着することにより形成されており、一側ケース板５の内面には、後部から中央部寄りにガイド用リブ６が突設されている。
【００１７】
また、錠ケース１には、ハブ２０用の取付け円孔７と、リンク２５の支持軸２６用の取付け孔８とが穿孔されており、また、位置決め用板バネ３０を支持するための溝状の座９、９が対向して一体に形成されている。
【００１８】
鎌部材１０は、二枚の鋼板をポット溶接で接合したもの又は一枚の厚い鋼板を用いて作成され、長板状の長軸部１１の先端部に上向きの鉤部１２が形成されたものであり、その軸方向の長さは錠ケース１内の長手寸法と近似とされ、鉤部１２の縦寸法は錠ケース１の縦幅の寸法と近似とされている。
【００１９】
鎌部材１０における長軸部１１の前方寄りには、鉤部１２の屈曲方向と反対方向へ前方傾斜する長孔１６が穿設されており、この長孔１６と鎌部材１０の長軸部１１を挟んで配置された一対のリンク２５の一端部を第一の連結ピン１３が挿通し、鎌部材１０とリンク２５が連結されている。また、長軸部１１の後端寄りには、錠ケース１のガイド用リブ６と摺動可能に係合すると共にハブ２０とも連結するための第二の連結ピン１４が長軸部１０の左右両側に突出して横設されている。
【００２０】
ハブ２０は、錠ケース１の取付け円孔７に回動自在に装着されており、その角孔２１には角棒１５が挿入され、該角棒１５にはサムターンやレバーハンドル等、引戸３５の内外から鎌部材１０を作動させるための操作部材（図示省略）が固着される。
【００２１】
また、ハブ２０の長孔２２には第二の連結ピン１４が挿入してハブ２０と鎌部材１０は第二連結ピン１４を介して連結されており、また、ハブ２０の外周端部２３は小さな半径の円弧に形成されていて、この外周端部２３が位置決め用板バネ３０の上面と圧接状態にあるように位置し、ハブ２０の静止位置が保持されている。
【００２２】
リンク２５は、錠ケース１内前方部にあって鎌部材１０の両側に一対に設置されるものであり、各リンク板２５は、その一端部で支持軸２６により回動自在に枢着されていると共に、もう一端部に穿孔された連結孔２７には鎌部材１０前方の長孔１６を挿通する第一の連結ピン１３が回動可能に挿入されて連結しており、ハブ２０の回動によって移動する鎌部材１０を移動方向へ案内し施解錠方向へ回動させる。
【００２３】
位置決め用板バネ３０は、錠ケース１と一体に形成された対向する溝状の座９、９に架け渡されて係止されており、その上面がハブ２０の外周端部２３へ圧接状態に接してハブ２０の静止位置を板バネの弾性力で保持するようにしている。
【００２４】
以上のように構成される本実施の形態の鎌錠の引戸３５への取付けは、引戸３５の戸当たり面３６から彫り込まれた凹所３７に錠ケース１をはめ込み、錠ケース１の前板３にフロント板３８を重ね合わせてビス（図示省略）で固定すると共に、ハブ２０の角孔２１の位置する引戸３５の両側面に挿通孔を穿設し、この挿通孔から角孔２１に角棒１５を挿通して角棒１５にサムターンやレバーハンドルを取り付け、サムターンやレバーハンドルの座板をビス止めすればよい。
【００２５】
次に、上記鎌錠の作動について説明すると、引戸３５を閉めて施錠するときは、図１に示すように、鎌部材１０を錠ケース１内に収納した状態で、戸３５の戸当たり面３６を柱４０に当接させ、位置決め用板バネ３０の押圧力に抗してサムターンやレバーハンドルを使ってハブ２０を施錠方向に回転させる。
【００２６】
上記施錠操作により、角棒１５を介してハブ２０が施錠方向に所定量回動すると、ハブ２０の長孔２２に連結する第二の連結ピン１４が錠ケース１のガイド用リブ６に案内されて鎌部材１０が施錠方向へ水平移動し、この水平移動に伴って、図２に示すように、開口部２に位置していた鎌部材１０の鉤部１２が錠ケース１のフロント板３８からその前方へ突出し、柱４０に埋設された受け金具４１内に位置する。
【００２７】
そして、更にハブ２０の回動が進むと、鎌部材１０の第一の連結ピン１３と連結しているリンク２５によって鎌部材１０の水平移動が規制され、鎌部材１０は後方の第二の連結ピン１４を支点にして、軸回動するリンク２５に案内されてリンク２５の回転軌道に沿って上方へ回動し、図３に示すように、鉤部１２の内側が受け金具４１内の受板部４２に掛合して施錠状態となる。
【００２８】
錠ケース１内で移動する鎌部材１０は、その側面が錠ケース１の内側面と摺接することなく、第一の連結ピン１３の先端が錠ケース１の内側面と摺動しながら回動することから、摩擦面積小さく、摩擦抵抗の少ない軽快な動きをする。
【００２９】
また、鎌部材１０の回動が軸回転する一対のリンク２５の回動によって案内される構成としたので、ハブ２０を回動したときの鎌部材１０の作動に左右のブレがなく円滑で安定していると共に、施錠後における鎌部材１０の前後方向のがたつきが極めて少ないものとなっている。
【００３０】
また、利用者が鎌部材１０の錠ケース１内への引き込みを忘れたたまま引戸３５を閉めた為に、鎌部材１０の鉤部１２が受け金具４１に衝突した場合には、鎌部材１０とリンク２５が鎌部材１０の傾斜長孔１６により鎌部材１０の回動方向へ遊びをもって第一の連結ピン１３で連結されていることから、衝撃は長孔１６でいったん吸収緩和され、リンク２５が回動して鎌部材１０はそのまま押されるように錠ケース１内に円滑に収納される。長孔１６によって衝撃が緩和されることから、鎌部材１０の鉤部１２や受け金具４１が損傷することなく、錠の作動性を損なうことがない。
【００３１】
また、本発明において、引戸３５におけるサムターンやレバーハンドルの取付け位置の都合から、バックセットの大きい鎌錠とする場合は、上記の実施の形態で用いた既製のリンク２５やハブ２０をそのまま用いて、鎌部材１０を、長軸部１１の長寸のものと交換すれば良く、極めて容易にバックセットの大きい鎌錠とすることができる。
【００３２】
従って、従来例のように、バックセットを大きくした場合に、鎌部材に補助板を連結することもないので、鎌部材の強度にも影響なく、補助部材を連結する為の作業も連結ピンも必要なく経済的であり、従来例のように鎌部材が作動する際に連結部に隙間ができてがたつき音が発生するという心配もない。
【００３３】
【発明の効果】
本発明は、以上説明したような形態で実施され、以下に記載されるような効果を奏する。
【００３４】
ハブの回動により作動する鎌部材は、ガイド用リブによって案内されて直進移動し、軸回動する一対のリンクに案内されてリンクの回転軌道に沿って回動すると共に第二の連結ピンを支点に回動して施錠状態となるように構成したので、がたつきなく極めてスムースに作動し、鎌部材が作動する際の摩擦面積小さく、摩擦抵抗の少ない軽快に作動する鎌錠とすることができる。
【００３５】
また、第一の連結ピンが挿通する鎌部材のリンクとの連結孔を長軸部の前方寄りに鉤部の屈曲方向と反対方向へ前方傾斜する長孔としたので、引き込み忘れにより錠ケースから突出している鎌部材が受け金具に衝突しても、衝撃は長孔で緩和されてリンクが円滑に回動し、鎌部材は錠ケース内に円滑に収納され、衝撃により錠の作動性を損なうことがない。
【００３６】
また、バックセットの大きい鎌錠とする場合にも、従来例のように補助板やその為の連結ピンを使用することがなく、リンクやハブは既製のものをそのまま利用して長寸の鎌部材と交換すればよいので、部品数や工数が増えることもなく経済的であり、新たな連結部によるがたつき音の発生の心配もない。
【図面の簡単な説明】
【図１】本発明の鎌錠の実施の形態を示す縦断側面図。
【図２】図１の鎌錠の施錠途中の状態を示す縦断側面図。
【図３】図１の鎌錠の施錠状態を示す縦断側面図。
【図４】図１の鎌錠に使用される鎌部材の側面図。
【図５】図１の鎌錠における錠ケースの一側ケース板を示す内側面図。
【図６】図１の鎌錠における錠ケースのもう一方のケース板を示す内側面図。
【符号の説明】
１　錠ケース，４　一側ケース板，６　ガイド用リブ，１０　鎌部材，１１　長軸部，１３　第一の連結ピン，１４　第二の連結ピン，１６　長孔，２０　ハブ，２５　リンク，３０　位置決め用板バネ
【図１】
2004107981.tif 000003
【図２】
2004107981.tif 000004
【図３】
2004107981.tif 000005
【図４】
2004107981.tif 000006
【図５】
2004107981.tif 000007
【図６】
2004107981.tif 000008